(57)【要約】    【課題】  投射型画像表示装置において、高温の排気により投射画像に揺らぎが生ずることを回避する。    【解決手段】  光を投射して被投射面上に画像を表示する画像投射装置は、筐体カバーで覆われている。該筐体カバー８（２）の所定面に、該筐体カバー外部から空気を導入するための吸気用開口６および筐体カバー内部から空気を排出するための排気用開口９と、投射光の光路空間を避けるように、排気用開口を介して排出される空気の排気方向を制御する排気用ガイド部材８ａ，１１ａとを設ける。    【選択図】  図２
2005156748.tif 000002
【特許請求の範囲】
【請求項１】
光を投射して被投射面上に画像を表示する画像投射装置であって、筐体カバーで覆われており、
前記筐体カバーの所定面に形成された、前記筐体カバー外部から空気を導入するための吸気用開口および前記筐体カバー内部から空気を排出するための排気用開口と、
投射光の光路空間を避けるように、前記排気用開口を介して排出される空気の排気方向を制御する排気用ガイド部材とを備えることを特徴とする画像投射装置。
【請求項２】
前記投射光の光軸に対して前記排気用ガイド部材がなす角度θGは、前記投射光軸に対する前記投射光の射出角度をθP 、投射画像における前記射出角度方向でのサイズをＷ、投射距離をＬとするとき、
θG＞θP
θP ＝tan-1（Ｗ／２／Ｌ）
の条件を満足することを特徴とする請求項１に記載の画像投射装置。
【請求項３】
前記排気用開口は、前記投射光の射出部に対して前記吸気用開口よりも離れた位置に形成されていることを特徴とする請求項１又は２に記載の画像投射装置。
【請求項４】
前記吸気用開口を介して導入される空気の吸気方向を制御する吸気用ガイド部材をさらに備え、
前記吸気用ガイド部材による吸気方向は、前記排気用ガイド部材による排気方向と平行でないことを特徴とする請求項１から３のいずれか１つに記載の画像投射装置。
【請求項５】
前記吸気用ガイド部材による吸気方向は、前記排気用ガイド部材による排気方向と略垂直であることを特徴とする請求項４に記載の画像投射装置。
【請求項６】
前記排気用ガイド部材は、前記排気用開口面に垂直な方向に複数段のガイド部材を有し、
第１段のガイド部材と第２段のガイド部材は、前記排気用開口の面内方向に所定量ずれて配置されていることを特徴とする請求項１から５のいずれか１つに記載の画像投射装置。
【請求項７】
前記筐体カバー内部に収容された光源と、
前記筐体カバー外部から空気を導入するための第２吸気用開口とをさらに備え、
前記筐体カバー外部から前記吸気用開口を介して導入される空気で前記光源を冷却し、前記筐体カバー内部で前記光源を冷却した後の空気と前記第２吸気用開口を介して導入される空気を混合し、その混合された空気を前記排気用開口を介して前記筐体カバー外部へ排出することを特徴とする請求項１から６のいずれか１つに記載の画像投射装置。
【請求項８】
前記第２吸気用開口は、前記筐体カバーの所定面とは異なる面に形成されていることを特徴とする請求項７に記載の画像投射装置。
【請求項９】
筐体カバーで覆われた画像投射装置であって、
前記筐体カバー内部に収容された光源と、
前記光源を冷却するための空気を送るファンと、
前記筐体カバー外部から空気を導入するための吸気用開口と、
前記筐体カバー内部から空気を排出するための排気用開口と、を備え、
前記筐体カバー内部で前記光源を冷却した後の空気と前記吸気用開口を介して導入された空気を混合し、その混合された空気を前記排気用開口を介して前記筐体カバー外部へ排出することを特徴とする画像投射装置。
【請求項１０】
前記吸気用開口と前記排気用開口の両者は、前記筐体カバーの所定面に形成されていることを特徴とする請求項９に記載の画像投射装置。
【請求項１１】
請求項１または１０に記載の画像投射装置と、
前記画像投射装置に画像情報を供給する画像情報供給装置と、を具備することを特徴とする画像投射装置。
【発明の詳細な説明】
【技術分野】
【０００１】
本発明は、画像を投射表示するプロジェクタ等の投射型画像表示装置に関し、さらに詳しくは、該投射型画像表示装置の吸排気に関するものである。
【背景技術】
【０００２】
投射型画像表示装置の筐体内には、光源や、該光源からの光を色分解して液晶パネル等の画像形成素子に導き、該画像形成素子により変調された光を色合成し、さらにスクリーンに投射する光学系等が収容されている。そして、熱源となる光源や光学系に含まれる一部の光学素子、さらには電源等の電気回路を冷却するために、筐体に吸気口や排気口を設けるとともに、ファン等を用いた強制冷却システムが設けられている。
【０００３】
例えば、特許文献１から４には、筐体内の熱源によって熱せられた空気を、プロジェクタの前方、すなわち投射レンズから射出された投射光がスクリーンに到達するまでの間の光路空間側に排気するプロジェクタが開示されている。プロジェクタの前方に排気する構成を採ることによって、プロジェクタの側方や後方に位置することが多い鑑賞者に高温の排気が吹き付けられることが防止される。
【０００４】
なお、筐体に吸気口や排気口を形成することによって、筐体内部で発生した光が漏れ出るおそれがある。そこで、特許文献１にて提案されているプロジェクタでは、筐体の上面に設けた吸気口に光漏れを抑制するルーバ状の遮光構造を設けている。
【特許文献１】特開２００１−１５９７８３号公報（段落００８９〜００９２、図１１等）
【特許文献２】特開２００１−２１５６１５号公報（段落００７３〜００７４、図１３等）
【特許文献３】特開平１１−３５４９６３号公報（段落００１３〜００１６、図１〜４等）
【特許文献４】特開平１０−２２１７７９号公報（段落００２４〜００３３、図１等）
【発明の開示】
【発明が解決しようとする課題】
【０００５】
しかしながら、上述した特許文献１および２のプロジェクタでは、排気された空気が高温であるため、この高温の空気が、投射レンズからスクリーンに至るに投射光の光路空間内に侵入してしまうと、該光路空間内の空気が揺らぐため、投射画像にも揺らぎが生じてしまう。
【０００６】
また、従来のプロジェクタには、吸気口と排気口とが隣接して配置されているものもあるが、この場合に、空気の吸気方向と排気方向とが制御されていないと、一度排気された高温の空気が再度プロジェクタ内部に吸気されてしまい、冷却効率が低下してしまうおそれがある。
【０００７】
更に、特許文献１のように、遮光部材として設けた複数のルーバ状部材間に隙間があいていると、該隙間から漏れ出た光によって使用者が眩しく感じるまでを効果的に遮断することができない。
【０００８】
本発明は、筐体からの高温の排気が鑑賞者に吹き付けられたり、一旦排気された空気が再び吸気されて冷却効率が低下したりすることがなく、かつ該排気によって投射画像に揺らぎが生ずることも回避できるようにした投射型画像表示装置を提供することを目的としている。
【課題を解決するための手段】
【０００９】
上記の目的を達成するため、本発明の第１の形態は、光を投射して被投射面上に画像を表示する画像投射装置であって、筐体カバーで覆われており、該筐体カバーの所定面に形成された、該筐体カバー外部から空気を導入するための吸気用開口および筐体カバー内部から空気を排出するための排気用開口と、投射光の光路空間を避けるように、前記排気用開口を介して排出される空気の排気方向を制御する排気用ガイド部材とを備える。
【００１０】
また、本発明の第２の形態は、筐体カバーで覆われた画像投射装置であって、筐体カバー内部に収容された光源と、光源を冷却するための空気を送るファンと、筐体カバー外部から空気を導入するための吸気用開口と、筐体カバー内部から空気を排出するための排気用開口とを備える。そして、筐体カバー内部で光源を冷却した後の空気と吸気用開口を介して導入された空気を混合し、その混合された空気を排気用開口を介して筐体カバー外部へ排出する。
【発明の効果】
【００１１】
上記第１の形態によれば、排気用ガイド部材によって排気方向が投射光の光路空間外に制御されることにより、高温の排気が光路空間に侵入して投射画像に揺らぎが発生することを確実に回避できる。
【００１２】
さらに、排気用開口を投射光の射出部に対して吸気用開口よりも離れた位置に形成することにより、排気方向をあまり大きく傾けなくても、投射光の光路空間外に向けることができ、装置の側方に位置する鑑賞者に排気が吹き付けられてしまうことも回避できる。
【００１３】
また、吸気用ガイド部材と排気用ガイド部材とを平行でない（異なる）方向を向かせることにより、一度排気された高温の空気が再び吸気されて筐体内の冷却効率が低下することを回避できる。
【００１４】
また、複数段構成とされたガイド部材の各段の位置を開口の面内方向でずらすことにより、開口を正対視した使用者によって該開口からの漏れ光が視認されることを回避することができる。
【００１５】
また、上記第２の形態によれば、光源を冷却した後の空気に外気を混合し、温度を下げた上で排気するので、鑑賞者に高温の排気が吹き付けられたり、高温の排気によって投射画像に揺らぎが生じたりすることを回避できる。これにより、排気方向の自由度も高まる。
【００１６】
なお、光源を冷却した空気の流路をガイド部材によって形成し、混合する外気を該流路内に供給するようにすることで、高温の空気が筐体内に広がることを防止できるとともに、外気の混合効率、つまりは排気温度の低下効率を向上させることができる。
【発明を実施するための最良の形態】
【００１７】
以下、本発明の実施例について図面を参照しながら説明する。
【実施例１】
【００１８】
以下、本発明の実施例１であるプロジェクタ（投射型画像表示装置）について説明する。図１には、上記プロジェクタの外観を表している。ここにいうプロジェクタは、透過型液晶プロジェクタおよび反射型液晶プロジェクタを含む。
【００１９】
図１において、１はプロジェクタ、２は該プロジェクタ５の外装部材となる筐体である。８は筐体２のうち前面、すなわち投射レンズ７の射出面（投射光の射出部）側の外装面を構成するフロントカバーである。筐体２内には、放電ランプ等の光源を用いた光源光学系、ＲＧＢ３チャンネル用の画像形成素子（液晶パネル等）、光源からの光を色分解して画像形成素子に導き、画像形成素子によって変調された光を色合成する色分解合成光学系（以上図示せず）および色合成された光をスクリーンに投射する投射レンズ７が収容されている。なお、投射レンズ７の射出面は、フロントカバー２の前面から外部に露出している。
【００２０】
さらに、筐体２内には、電源回路や画像形成素子を駆動する駆動回路等の電気回路（図示せず）も配置されている。駆動回路には、不図示のパーソナルコンピュータ、ＤＶＤプレーヤ、ビデオカメラ、デジタルスチルカメラ等の画像情報供給装置が接続されている。駆動回路は、この画像情報供給装置からの画像信号に応じて画像形成素子を駆動する。これにより、画像信号に応じた画像がスクリーンに拡大投射される。
【００２１】
フロントカバー８の前面における投射レンズ７に隣接した位置には、筐体２内に収容された上記光学系、特に熱源となる光源や光学素子を冷却する外気を筐体２内に導入するための吸気口６が形成されている。
【００２２】
また、フロントカバー８の前面における吸気口６の側方には、筐体２内の冷却に使用された高温の空気（排気）１４が排出される排気口９が形成されている。
【００２３】
図２には、本実施例における吸排気口の周辺構成を示している。筐体２（フロントカバー８）の内側における排気口９に面した位置には、強制排気を行うための排気ファン１２がファンホルダ１１によって保持されて配置されている。そして、ファンホルダ１１には、後述するルーバ１１ａが一体的に又は別体のものとして設けられている。
【００２４】
ここで、図４には、従来のプロジェクタにおける排気口周辺の構造を示している。なお、吸気口は省略して示している。
【００２５】
投射レンズ７から射出した投射光は、光路空間１０を通って不図示のスクリーンに到達する。この光路空間１０は、投射レンズ７の光軸４０に対して拡がり角度を持っている。
【００２６】
筐体２内の熱源によって熱せられた空気は、排気ファン１２によって外部に強制的に排気される。フロントカバー８の前面にはパンチング処理が施されており、このパンチング処理部分の多数の穴（排気口）８ｃを通って排気がなされると、排気１４の流れが乱れる。そして、この乱れた排気１４の一部が光路空間１０内に侵入すると、光路空間１０内の空気が揺らぎ、その結果、スクリーン上の投射画像にも揺らぎが生ずる。
【００２７】
これに対し、本実施例では、図２に示すように、排気口９から外部に排気される空気の流れる方向（排気方向）を、ファンホルダ１１およびフロントカバー８の排気口９内に設けられた板状部材である複数のルーバ（排気用ガイド部材）１１ａ，８ａによって整流するとともに、排気方向を光路空間１０から外れる方向となるように制御（方向付け）している。したがって、図４に示した場合に比べて、ファン１２によって強制排気された排気１４が投射光の光路空間１０に侵入する可能性が大幅に低くなり、投射映像の揺らぎの発生を防ぐことが可能となる。
【００２８】
ここで、本実施例では、図３には、ルーバ１１ａの角度と投射光の投射角度との関係をを示している。なお、本図には、ルーバ１１ａに関してのみ示しているが、ルーバ８ａについても同様の関係が成り立つ。
【００２９】
投射レンズ７（つまりは投射光）の光軸４０に対するルーバ１１ａの角度（以下、ルーバ角度という）θG は、投射レンズ７から射出される投射光の、光軸４０に対する射出角度（半画角）をθP とし、スクリーン１６までの投射距離をＬとし、スクリーン１６上での投射画像１７のルーバ角度方向における幅をＷとすると、
θG＞θP                  …（１）
θP ＝tan-1（Ｗ／２／Ｌ）  …（２）
を満足するように設定されている。
【００３０】
例えば、投射距離Ｌが４０００ｍｍであり、スクリーン１６上での投射画像が１００インチサイズ（対角２５４０ｍｍ）で、幅Ｗが２８００ｍｍであるとすると、投射光の射出角度θPは、
tan-1｛（２８００／２）／４０００｝＝１９．２９°
となり、ルーバ角度θG を少なくとも１９．２９°より大きく設定する。
【００３１】
上記条件（１），（２）を満足するようにルーバ角度を設定することで、排気１４が投射光の光路空間１０内に侵入して投射画像が揺らぐことを防止することができる。
【００３２】
ここで、図７に示すように、排気口９が光源（ランプ）２４の背面に設けられている場合において、使用者２２が排気口９を正対視した際にルーバ１１ａ，８ａの間に隙間があると、光源２４にて発生した光の一部がその隙間から漏れ出て使用者２２は非常に眩しく感じる。
【００３３】
そこで、本実施例では、図５に示すように、複数のルーバ１１ａ，８ａのうち隣り合う２つのルーバ間の関係を以下のように設定している。なお、図５において、Ｐはルーバのピッチ（間隔）である。
【００３４】
図５において、隣り合う２つのルーバのうち一方の排気上流側の端部３９と、他方の排気下流側の端部３８とは、図中に白抜き矢印で示す方向から排気口９を正対視したときに互いに重なり合う（オーバーラップする）関係にある。この関係を満たすためのルーバの排気方向長さＬGは、ルーバ角度θG とルーバピッチＰとによって決まり、ルーバ角度θG が小さいほど又はルーバピッチＰが大きいほど長くなる。
【００３５】
このため、例えば図６に示すように、ルーバ角度θGをできるだけ小さく設定したい場合（あまりルーバ角度を大きくするとプロジェクタの側方にいる鑑賞者に排気の一部がかかってしまうおそれがあるような場合）には、ルーバの数を増やしてルーバのピッチＰを小さくすることにより、ルーバの排気方向長さＬGを抑えることができる。
【００３６】
さらに、本実施例では、図２にも示すように、吸気口６と排気口９とがフロントカバー８に隣り合うように形成されているが、排気口９は投射レンズ７に対して吸気口６より離れた位置に形成されている。
【００３７】
前述したように、フロントカバー８の排気口９の内側および排気ファン１２を保持するファンホルダ１１には、排気ファン１２によって強制排気される排気１４を、投射レンズ７側から離れる方向に導く（言い換えれば、排気方向を投射光の光路空間１０から外れる方向とする）ルーバ８ａ，１１ａが設けられている。
【００３８】
一方、フロントカバー８の吸気口６の内側には、排気側のルーバ８ａ，１１ａとは略反対方向を向いたルーバ８ｂが形成されている。このようにルーバ８ｂの向きを設定することにより、吸気口６には、投射光の光路空間１０側から外気が導入されることになる。このため、投射レンズ７側から離れる方向に排出された排気１４が、排気口９に隣接する吸気口６から吸気されることが可能性が少なくなり、吸気口６から吸気される外気は常に排気１４よりも低い温度となる。このため、筐体２内の冷却効率を常に良好に維持することができる。
【実施例２】
【００３９】
図８には、本発明の実施例２であるプロジェクタの排気口周辺の構造を示している。本実施例は、フロントカバー８およびファンホルダ１１をＡＢＳ樹脂などのプラスチック材料を用いて成型する場合を示している。
【００４０】
図８では、フロントカバー８の排気口９の内側およびファンホルダ１１にそれぞれほぼ同じ形状および大きさを持つルーバ８ａ，１１ａを形成し、これらが排気方向（排気口の開口面に垂直な方向）にて２段構成の排気ガイドとなる場合を示している。
【００４１】
ルーバ８ａ，１１ａはそれぞれ、例えば図９に示す第１型２８と第２型２９とから構成されるルーバ成形用型２７を用いることでフロントカバー８およびファンホルダ１１に一体成形することができる。この場合、第１型２８と第２型２９とがオーバーラップする部分３０を、例えば０．２ｍｍ以上設けることで、互いに離間した複数のルーバを成形することができる。
【００４２】
但し、フロントカバー８およびファンホルダ１１のそれぞれにおいては、図１０に示すように（本図はフロントカバー８のみ示している）、上記オーバーラップ部分を設けた分だけ、隣合うルーバ間に隙間３０が形成されてしまい、使用者３１が排気口９を正対視した場合に、漏れ光２３が目に入ってしまう。
【００４３】
そこで、本実施例では、図８に示すように、フロントカバー８の排気口９に設けたルーバ（第１段）８ａと、ファンホルダ１１に設けたルーバ（第２段）１１ａとが、排気口９の面内方向（言い換えれば、フロントカバー８およびファンホルダ１１のそれぞれにおけるルーバの配列方向）において異なる位置（ずらした位置）に設けている。具体的には、排気口としての通気機能を確保しつつ、正対方向への漏れ光を遮断するために、両ルーバ８ａ，１１ａ間のずれ量は、ルーバ形状部の配列ピッチの略半分としている。これにより、両ルーバ８ａ，１１ａは、それらの配列方向において互い違いに配置されることになる。
【００４４】
これにより、排気口９を正対視したときに、フロントカバー８に設けられたルーバ８ａ間にあった隙間３０が、ファンホルダ１１に設けられたルーバ１１ａによって覆われる。したがって、図８において発生していた隙間３０からの漏れ光を効果的に遮断することができる。
【００４５】
さらに、フロントカバー８に設けられたルーバ８ａの側面（排気のガイド面）と、ファンホルダ１１に設けられたルーバ１１ａの側面とがほぼ平行となっているので、排気の流れ方向を一定方向に制御することが可能である。
【００４６】
なお、吸気口６においても、本実施例にて説明したようなルーバの遮光構造を採用してもよい。
【実施例３】
【００４７】
図１１および図１２には、本発明の実施例３であるプロジェクタの外観および内部構成をそれぞれ示している。なお、実施例１と共通する構成要素については実施例１と同じ符号を付す。
【００４８】
図１１において、３はプロジェクタ５１の電源のＯＮ・ＯＦＦ、スクリーンに投射された画像の調整などの基本操作を行うためのスイッチ類が配置されている操作パネルである。１８はプロジェクタ５１の高さ方向の位置調整を行うアジャスタである。
【００４９】
また、図１２において、２４は水銀ランプ等の放電ランプ（光源）、４は該放電ランプ２４からの光の色分解と、ＲＧＢ３チャンネルの画像形成素子によって変調された３つの色光成分を合成して投射レンズ７に導く光学系である。これらは前面にフロントカバー８が配された筐体２内に収容されている。
【００５０】
５４は筐体２内において、放電ランプ２４を冷却するための空気流を生成する冷却ファンである。冷却ファン５４により生成された空気流５６は、放電ランプ２４から熱を吸収してこれを冷却し、その後、フロントカバー８に形成された排気口９から外部に排出される。筐体２内における冷却ファン５４から排気口９にかけては、ガイド板５２，５３によって吸排気流路が形成されている。これにより、放電ランプ２４を冷却した空気流（温風）５６が筐体２内の他の空間に広がらないようにしている。なお、排気口９の内側には、実施例１で説明したのと同様のルーバ８ａが形成され、排気５８は投射光の光路空間１０から外れる方向に排出される。
【００５１】
また、筐体２の側面には、フロントカバー８に形成された吸気口６とは別の吸気口５が形成されている。この吸気口５の内側には、斜め後方を向いたルーバ２ａが複数配列されており、排気口９からの排気５８が吸気口５を通じて再び取り込まれないようにしている。
【００５２】
そして筐体２内における該吸気口５に面する位置には、吸気口５を通して外気を筐体２内に強制的に導入する吸気ファン５５が設けられている。吸気ファン５５によって導入された外気５７は、ガイド板５２，５３によって形成された吸排気流路内のうち、放電ランプ２４よりも排気口９に近い部分に供給される。このため、外気５７は、冷却ファン５４により生成されて放電ランプ２４を冷却した後の空気流（温風）５６に混合される。したがって、排気口９からの排気の温度を、外気５７を混合しない場合よりも低くすることができる。なお、吸排気流路内に外気を供給することで、温風５６に対する外気の混合効率、つまりは排気温度の低下効率を向上させることができる。
【００５３】
このように排気温度を低くすることによって、実施例１の効果に加えて、仮に使用者や鑑賞者に排気が吹き付けられたとしても、不快感を与えずに済む。
【００５４】
但し、排気温度が低くなるので、仮に排気口９にルーバ８ａを設けずに、排気が投射光の光路空間１０内に侵入したとしても、投射画像の揺らぎはほとんど生じない。しかし、吸気口６から排気が再び吸気されるのを回避するためには、ルーバ８ａを設けておいた方がよい。
【実施例４】
【００５５】
図１３および図１４には、本発明の実施例４であるプロジェクタの外観および内部構成をそれぞれ示している。なお、上述した実施例と共通する構成要素には、該実施例と同一の符号を付す。また、図１４には、テーブル上に載置したプロジェクタ７１の放電ランプ２４の冷却構造を主として示している。
【００５６】
プロジェクタ７１の筐体２の底面には、吸気口７４と、排気８６の方向を制御する排気ガイド７２と、吸気口７４に向かう外気８５の流れ方向を整えるために筐体２の側面側から吸気口７４に向かって延びる吸気ガイド７３と、排気８６が吸気口７４に再び吸い込まれるのを防ぐための壁部７５とが設けられている。
【００５７】
図２において、筐体２の背面に形成された吸気口７８からアキシャルファン７６によって筐体２内に吸気された外気８４は、放電ランプ２４を冷却し、温風８７となる。該温風８７は、両面吸気型ラジアルファン７７の上面吸入口７７ａから吸い込まれる。放電ランプ２４の周囲には、これを概ね囲むように形成されたランプハウジング７９によって温風８７をラジアルファン７７の上面吸入口７７ａにガイドするための吸排気流路が形成されている。
【００５８】
一方、両面吸気型ラジアルファン７７の下面吸入口７７ｂからは、筐体２の底面に形成された吸気口７４を通じて外気８５が吸い込まれる。ラジアルファン７７の内部で、これら温風８７と外気８５とが混合され、混合された空気８６は温風８７よりも低い温度となる。そして、この混合空気８６は、ラジアルファン７７の排出口７２および排気ガイド７２を通して、アジャスタ１８によって筐体２の底面とこのプロジェクタ７１が載置されたテーブルとの間に形成された隙間に排気される。
【００５９】
外気の混合によって排気温度は十分低くなっているが、さらに排気方向を排気ガイド２０によって制御することで、排気によってテーブル表面が加熱されてしまうことを防いでいる。
【００６０】
また、本実施例では、排気ガイド７２の流路断面積を、ラジアルファン７７の排出口７７ｃ側から出口側にかけて徐々に増加させている。これにより、ラジアルファン７７から排出された排気８６を、その流速を低下させて排出することができる。
【００６１】
さらに、本実施例では、吸気ガイド７３によって、外気が吸気口７４に向かって一定方向に流れるように制御するので、気流騒音の主な発生要因となる乱流が起きにくくなり、静音化が図れる。
【００６２】
図１５には、上述した両面吸気型ラジアルファン７７を斜め下側から見た様子を、図１６には、アキシャルファン７６をそれぞれ示している。さらに、図１７には、放電ランプ２４をガイド部材７９に取り付け、さらにガイド部材７９に両面吸気型ラジアルファン７７およびアキシャルファン７６を取り付けてランプユニットとした状態を示している。
【００６３】
両面吸気型ラジアルファン７７は、ファンの回転軸方向の両側に吸入口７７ａ，７７ｂを備え、ファンの径方向に排出口７７ｃを備えている。
【００６４】
また、アキシャルファン７６は、ファンの回転軸方向に吸入口７６ａと排出口７６ｂを備えている。
【００６５】
さらに、図１７に示したランプユニットでは、本来ランプ２４が発生した熱が筐体２内の他の領域に伝わるのを防ぐランプハウジング７９内に吸排気流路を形成しているので、ランプ２４の冷却を効率良く行うことができる。
【００６６】
なお、一般に、アキシャルファン７６は大風量、小静圧といった特性を持つ。このため、本実施例では、アキシャルファン７６の排出口７６ｂをランプ２４側に向け、冷却風をランプ２４に大量に吹き付ける形をとることで、効率良くランプ２４を冷却することができる。
【００６７】
そして、ランプハウジング７９内から外部に排気される際に、両面吸気型ラジアルファン９を用いて、ランプハウジング７９内に残留して熱せられた空気を上面吸入口７７ａから吸込み、この空気を下面吸気口７７ｂから吸い込んだ外気で冷却（外気を混合）してから最終的に排出口７７ｃおよび排気ガイド７２を通じて外部に排気する。これにより、筐体２内で熱せられた空気がそのまま外部へ放出されないので、この排気が吹き付けられた使用者も不快感を覚えることは少ない。
【実施例５】
【００６８】
図１８には、本発明の実施例５であるプロジェクタの排気ガイド周辺の構成を示している。本実施例は、実施例４の変形例である。
【００６９】
実施例４では、排気ガイド７２が筐体２に対して固定されているが、本実施例では、排気ガイド７２を、筐体２に支持された軸部材７２ａによって回動可能とし、図中に実践で示すように筐体２内に格納される位置（閉位置）と、点線で示すように筐体２の下方に突出する位置（開位置）とにセットできるようにする。
【００７０】
プロジェクタ７１を使用する際には、排気ガイド７２を開位置に下動させて排気路を確保する。一方、プロジェクタ７１を使用しない際には、排気ガイド７２を閉位置に上動させて、外部から塵や埃などの異物が両面吸気型ラジアルファン７７内に侵入することを、エアフィルタなどを設けることなく防ぐ。
【００７１】
この場合において、排気ガイド７２を開位置方向にばね等により付勢するとともに、排気ガイド７２を閉位置にてロック保持するロック機構を設けてもよい。そして、図１９に示すように、筐体２の底面に設けたリリースボタン９１を操作することによって、ロック機構によるロック保持が解除され、排気ガイド７２が開位置に駆動されるようにすればよい。
【００７２】
なお、それぞれ向いた方向が異なる複数の排気ガイド７２を設け、使用する排気ガイド７２のみを開位置にセットできるようにすることで、プロジェクタ７１の使用状況に応じて排気方向を自由に選択することができる。
【００７３】
また、排気ガイド７２を筐体２に対して着脱できるようにしてもよい。
【００７４】
さらに、実施例４では、排気ガイド７２からの排気が吸気口７４に再び吸い込まれることがないように、筐体２の底面における吸気口７４近傍に壁部７５を設けた場合について説明したが、図１９に示すように、該壁部７５を筐体２の底面に対して折りたたみ可能としてもよい。
【００７５】
この場合、プロジェクタ７１の使用時には、つまみ９２に指をひっかけて壁部７５を起こすことができるようにするとよい。
【実施例６】
【００７６】
図２０には、本発明の実施例６であるプロジェクタの排気ガイド周辺の構成を示している。本実施例は、実施例４の変形例である。
【００７７】
実施例４では、筐体２の底面に設けられた吸気ガイド７３を、筐体２の側面側から吸気口７４に向かって延びる形状にした場合について説明したが、本実施例では、吸気ガイドを、気流の流れに剥離状態が起きないように配置された微小な突起（Vortex Generator）７３’により形成している。
【００７８】
これにより、より効果的に外気が吸気口７４に向かって流れるように制御される。
【実施例７】
【００７９】
図２１には、本発明の実施例７であるプロジェクタの排気ガイド周辺の構成を示している。本実施例は、実施例４の変形例である。
【００８０】
本実施例では、排気ガイド７２の内側（流路）内に、熱伝導性能に優れた部材によって形成した放熱フィン７２ｂを設けている。これにより、両面吸気型ラジアルファン７７から排出された排気（外気との混合空気）８６の温度が外気を混合しただけでは十分に低くならない場合でも、排気ガイド２０内を排気８６が通過する過程で放熱フィン７２ｂにより更に熱が奪われ、十分低い温度の排気となる。
【００８１】
なお、排気ガイド７２自体を、熱伝導性能に優れた部材により形成して、放熱フィン７２ｂからの熱を吸収するようにしてもよい。
【実施例８】
【００８２】
図２２には、本発明の実施例８であるプロジェクタの内部構成を示している。実施例４では、両面吸気型ラジアルファン７７から排出された空気（外気との混合空気８６）をそのまま外部に排気する場合について説明したが、本実施例では、混合空気８６を筐体２内に設置された排気ガイド７２を通じて筐体２内部に放出して、他の熱源を冷却するために使用する。そして、これによって上昇した混合空気８６の温度を、筐体２内に設けた放熱フィン９５で再び低下させ、最終的にファン（ラジアル又はアキシャルファン）９６によってパンチング処理等が施されたフロントカバーを通して外部に排気する（８６’）。
【００８３】
これにより、ランプ２４の冷却に使用されるべく筐体２内に取り込まれた空気を、ランプ２４だけでなく、筐体２内の様々な熱源の冷却にも使用することができる。
【００８４】
なお、図２２はあくまでも横から見た図であり、フロントカバーから排気される混合気体８６’は、上から見ると投射光の光路空間を避けて流れるようになっている。
【図面の簡単な説明】
【００８５】
【図１】本発明の実施例１であるプロジェクタの外観図。
【図２】実施例１のプロジェクタの吸排気構造を示す模式図。
【図３】実施例１のプロジェクタのルーバ角度の条件を示す模式図。
【図４】従来のプロジェクタの排気構造を示す模式図。
【図５】実施例１のプロジェクタのルーバによる遮光条件を示す模式図。
【図６】実施例１のプロジェクタのルーバによる遮光条件を示す模式図。
【図７】従来のプロジェクタの排気口からの漏れ光を示す模式図。
【図８】本発明の実施例２であるプロジェクタにおけるルーバ形状部による遮光構造を示す模式図。
【図９】実施例２で用いるルーバ形状部を成型するための型を示す図。
【図１０】従来のプロジェクタの排気口からの漏れ光を示す模式図。
【図１１】本発明の実施例３であるプロジェクタの外観図。
【図１２】実施例３のプロジェクタの吸排気構造を示す模式図。
【図１３】本発明の実施例４であるプロジェクタの外観図。
【図１４】実施例４のプロジェクタの吸排気構造を示す模式図。
【図１５】実施例４で用いる両面吸気型ラジアルファンの外観図。
【図１６】実施例４で用いるアキシャルファンの外観図。
【図１７】実施例４で用いるランプユニットの外観図。
【図１８】本発明の実施例５であるプロジェクタの排気構造を示す模式図。
【図１９】本発明の実施例５の変形例であるプロジェクタの外観図。
【図２０】本発明の実施例６であるプロジェクタの外観図。
【図２１】本発明の実施例７であるプロジェクタの排気構造を示す模式図。
【図２２】本発明の実施例８であるプロジェクタの吸排気構造を示す模式図。
【符号の説明】
【００８６】
１，５１，７１  プロジェクタ
２  筐体
５，６  吸気口
７  投射レンズ
８  フロントカバー
８ａ，８ｂ  ルーバ
９  排気口
１０  投射光の光路空間
１１  ファンホルダ
１１ａ  ルーバ
１２  ファン
１５  投射画像
１６  スクリーン
１８  アジャスタ
２３  漏れ光
２４  光源（放電ランプ）
２７  ルーバ成形用型
２８，２９  型
３０  隙間
４０  投射レンズ（投射光）の光軸
７２  排気ガイド
７２ｂ  放熱フィン
７３  吸気ガイド
７４  吸気口
７５  壁部
７６  アキシャルファン
７７  両面吸気型ラジアルファン
７９  ランプハウジング
【図１】
2005156748.tif 000003
【図２】
2005156748.tif 000004
【図３】
2005156748.tif 000005
【図４】
2005156748.tif 000006
【図５】
2005156748.tif 000007
【図６】
2005156748.tif 000008
【図７】
2005156748.tif 000009
【図８】
2005156748.tif 000010
【図９】
2005156748.tif 000011
【図１０】
2005156748.tif 000012
【図１１】
2005156748.tif 000013
【図１２】
2005156748.tif 000014
【図１３】
2005156748.tif 000015
【図１４】
2005156748.tif 000016
【図１５】
2005156748.tif 000017
【図１６】
2005156748.tif 000018
【図１７】
2005156748.tif 000019
【図１８】
2005156748.tif 000020
【図１９】
2005156748.tif 000021
【図２０】
2005156748.tif 000022
【図２１】
2005156748.tif 000023
【図２２】
2005156748.tif 000024